(57)【要約】      （修正有）【課題】カッター機構が利用できない場合にも、ラベル片を生成することを可能にする。【解決手段】ラベル印字装置１６０は、印字部６２とカッター機構６４と制御装置８０とを備える。印字部は、商品情報を台紙レスラベルに印字する。カッター機構は、商品情報が印字された台紙レスラベルの部分を台紙レスラベルから切り離してラベル片を生成するために、台紙レスラベルの所定部位を切断する。制御装置は、設定モード受付部８４ａを有する。設定モード受付部は、カッター使用モードと、カッター不使用モードとを含むカッター機構の使用に関する設定モードの入力を受け付ける。カッター使用モードとは、カッター機構の使用が可能なモードである。カッター不使用モードとは、カッター機構の使用が不可能なモードである。印字部は、使用モード受付部によってカッター不使用モードの入力が受け付けられた場合、台紙レスラベルの所定の部位に切断用マークを印字する。【選択図】図２
2014046951.tif 000002
【特許請求の範囲】
【請求項１】
台紙レスラベルを巻きつけたラベルロールを保持するロールホルダーと、
前記ラベルロールから前記台紙レスラベルを繰り出させる繰り出しローラと、
商品情報を前記台紙レスラベルに印字する印字部と、
前記商品情報が印字された前記台紙レスラベルの部分を前記台紙レスラベルから切り離してラベル片を生成するために、前記台紙レスラベルの所定の部位を切断する、カッター機構と、
前記繰り出しローラ、前記印字部、および前記カッター機構の動作を制御する制御装置と、
を備え、
前記制御装置は、
前記カッター機構の使用が可能なカッター使用モードと、前記カッター機構の使用が不可能なカッター不使用モードとを含むカッター機構の使用に関する設定モードの入力を受け付ける設定モード受付部
を有し、
前記印字部は、前記使用モード受付部によって前記カッター不使用モードの入力が受け付けられた場合、前記台紙レスラベルの前記所定の部位に切断用マークを印字する、
ラベル印字装置。
【請求項２】
前記切断用マークは、実線、破線、および鎖線のいずれかを含む、
請求項１に記載のラベル印字装置。
【請求項３】
前記制御装置は、
前記設定モード受付部によって受け付けられた前記設定モードを記憶する設定モード記憶部と、
前記設定モード受付部によって新たに受け付けられた新たな設定モードが、前記設定モード記憶部に記憶された設定モードと異なる場合に、前記設定モードの変更に関する確認画面を生成する、確認画面生成部と、
をさらに有する、
請求項１または２に記載のラベル印字装置。
【請求項４】
前記制御装置は、
前記台紙レスラベルに印字する前記商品情報に係る商品の種類についての選択を受け付ける商品選択受付部と、
商品の価格設定の種類に関する情報であって、前記商品の種類に応じて一定の価格を設定する定額設定と、前記商品の重量に応じて異なる価格を設定する計量設定と、を含む前記価格設定の種類に関する情報を記憶する価格設定情報記憶部と、
前記商品選択受付部によって受け付けられた前記商品の種類に対応する前記価格設定に基づき、前記カッター不使用モードの設定可否を判定する設定可否判定部と、
をさらに有し、
前記設定可否判定部は、前記商品に対応する価格設定が前記定額設定である場合に、前記カッター不使用モードの設定が可能であると判定し、
前記印字部は、前記設定モード受付部によって前記カッター不使用モードの入力が受け付けられ、かつ、前記設定可否判定部によって前記カッター不使用モードの設定が可能であると判定された場合に、前記台紙レスラベルの前記所定の部位に切断用マークを印字する、
請求項１から３のいずれかに記載のラベル印字装置。
【請求項５】
前記制御装置は、
前記ラベル片の枚数の入力を受け付ける枚数入力受付部と、
前記ラベルロールから繰り出される前記台紙レスラベルの長さである繰り出し長さを設定する、繰り出し長さ設定部と、
をさらに有し、
前記繰り出し長さ設定部は、一枚分の前記ラベル片の長さと、前記枚数入力受付部によって受け付けられた前記入力に係る前記ラベル片の枚数とに基づき、前記繰り出し長さを設定し、
前記繰り出しローラは、前記繰り出し長さに対応する長さの前記台紙レスラベルを連続して前記ラベルロールから繰り出させる、
請求項３または４に記載のラベル印字装置。
【請求項６】
前記制御装置は、
前記繰り出しローラの駆動を停止させる停止指令を受け付ける、停止指令受付部をさらに有し、
前記繰り出しローラは、前記停止指令受付部によって前記停止指令が受け付けられるまで、前記台紙レスラベルを連続して前記ラベルロールから繰り出させる、
請求項３または４のいずれかに記載のラベル印字装置。
【請求項７】
前記制御装置は、
前記台紙レスラベルに印字する前記商品情報に係る商品の種類についての選択を受け付ける商品選択受付部と、
商品の価格設定の種類に関する情報であって、前記商品の種類に応じて一定の価格を設定する定額設定と、前記商品の重量に応じて異なる価格を設定する計量設定と、を含む前記価格設定の種類に関する情報を記憶する価格設定情報記憶部と、
前記商品選択受付部によって受け付けられた前記商品の種類に対応する前記価格設定の種類を判別する設定種類判別部と、
をさらに有し、
前記設定種類判別部によって判別された前記価格設定の種類が、前記定額設定である場合には、前記繰り出しローラは、前記台紙レスラベルを連続して前記ラベルロールから繰り出させ、
前記設定種類判別部によって判別された前記価格設定の種類が、前記計量設定である場合には、前記繰り出しローラは、一枚分のラベル片に対応する所定長さの前記台紙レスラベルを前記ラベルロールから繰り出させる、
請求項１から３のいずれかに記載のラベル印字装置。
【請求項８】
前記制御装置は、
前記ラベル片の枚数の入力を受け付ける枚数入力受付部と、
前記ラベルロールから繰り出される前記台紙レスラベルの長さである繰り出し長さを設定する、繰り出し長さ設定部と、
をさらに有し、
前記設定種類判別部によって判別された前記価格設定の種類が前記定額設定である場合、前記繰り出し長さ設定部は、一枚分の前記ラベル片の長さと、前記枚数入力受付部によって受け付けられた前記入力に係る前記ラベル片の枚数とに基づき、前記繰り出し長さを設定し、
前記設定種類判別部によって判別された前記価格設定の種類が前記計量設定である場合、前記繰り出し長さ設定部は、前記一枚分のラベル片の長さよりも大きな長さである修正長さを、前記繰り出し長さに設定し、
前記繰り出しローラは、前記繰り出し長さに対応する長さの前記台紙レスラベルを連続して前記ラベルロールから繰り出させる、
請求項７に記載のラベル印字装置。
【発明の詳細な説明】
【技術分野】
【０００１】
本発明は、ラベル印字装置に関する。
【背景技術】
【０００２】
従来、生鮮食品や加工食品等の商品は、商品の上面に、商品に関する情報（商品情報）を示すためのラベル片が貼り付けられて販売されている。ラベル片に商品情報を印字するためのラベル印字装置は、例えば、特許文献１（特願２００２−２８３６３３号公報）に提案されている。
【発明の概要】
【発明が解決しようとする課題】
【０００３】
ところで、上記特許文献１で提案されたラベル印字装置は、商品情報が印字された台紙レスラベルの部分を、台紙レスラベルから切り離すためのカッター機構を備える。カッター機構は、刃を台紙レスラベルに対して上下方向に駆動させるモータを有する。ここで、カッター機構に不具合が発生した場合に、カッター機構全体の修理が必要な場合がある。しかし、カッター機構全体の修理が行われている間、ラベル印字装置が利用できないこととなると、商品に貼り付けるためのラベル片を生成することができず不便である。
【０００４】
そこで、本発明の課題は、カッター機構が利用できない場合にも、ラベル片を生成することを可能にするラベル印字装置を提供することにある。
【課題を解決するための手段】
【０００５】
本発明に係るラベル印字装置は、ロールホルダーと、繰り出しローラと、印字部と、カッター機構と、制御装置とを備える。ロールホルダーは、台紙レスラベルを巻きつけたラベルロールを保持する。繰り出しローラは、ラベルロールから台紙レスラベルを繰り出させる。印字部は、商品情報を台紙レスラベルに印字する。カッター機構は、商品情報が印字された台紙レスラベルの部分を台紙レスラベルから切り離してラベル片を生成するために、台紙レスラベルの所定の部位を切断する。制御装置は、繰り出しローラ、印字部、およびカッター機構の動作を制御する。また、制御装置は、設定モード受付部を有する。設定モード受付部は、カッター使用モードと、カッター不使用モードとを含むカッター機構の使用に関する設定モードの入力を受け付ける。カッター使用モードとは、カッター機構の使用が可能なモードである。カッター不使用モードとは、カッター機構の使用が不可能なモードである。印字部は、使用モード受付部によってカッター不使用モードの入力が受け付けられた場合、台紙レスラベルの所定の部位に切断用マークを印字する。
【０００６】
本発明に係るラベル印字装置では、カッター機構の使用を不可能にするカッター不使用モードが設定されている場合に、台紙レスラベルの所定の部位に切断用マークが印字される。これにより、カッター機構が使用できない場合であっても、ラベル片を生成することができる。
【０００７】
また、切断用マークは、実線、破線、および鎖線のいずれかを含むことが好ましい。これにより、ラベル印字装置のオペレータは、切断箇所を容易に特定することができる。
【０００８】
さらに、制御装置は、設定モード記憶部と確認画面生成部とを有することが好ましい。設定モード記憶部は、設定モード受付部によって受け付けられた設定モードを記憶する。確認画面生成部は、設定モード受付部によって新たに受け付けられた新たな設定モードが、設定モード記憶部に記憶された設定モードと異なる場合に、設定モードの変更に関する確認画面を生成する。これにより、ラベル印字装置のオペレータに対して、設定モードが変更される旨の注意喚起を行うことができる。
【０００９】
さらに、制御装置は、商品選択受付部と、価格設定情報記憶部と、設定可否判定部とを有することが好ましい。商品選択受付部は、台紙レスラベルに印字する商品情報に係る商品の種類についての選択を受け付ける。価格設定情報記憶部は、価格設定の種類に関する情報を記憶する。価格設定の種類に関する情報とは、商品の価格設定の種類に関する情報であって、定額設定と計量設定とを含む。定額設定では、商品の種類に応じて一定の価格を設定する。計量設定では、商品の重量に応じて異なる価格を設定する。設定可否判定部は、商品選択受付部によって受け付けられた商品の種類に対応する価格設定に基づき、カッター不使用モードの設定可否を判定する。また、設定可否判定部は、商品に対応する価格設定が定額設定である場合に、カッター不使用モードの設定が可能であると判定する。また、印字部は、使用モード受付部によってカッター不使用モードの入力が受け付けられ、かつ、設定可否判定部によってカッター不使用モードの設定が可能であると判定された場合に、台紙レスラベルの所定の部位に切断用マークを印字する。これにより、計量値に応じて価格が変動する商品（計量商品）に対するカッター不使用モードの設定を制限し、定額商品に貼り付けるラベル片を効率よく発行することができる。
【００１０】
さらに、制御装置は、枚数入力受付部と、繰り出し長さ設定部とを有してもよい。枚数入力受付部は、ラベル片の枚数の入力を受け付ける。繰り出し長さ設定部は、繰り出し長さを設定する。繰り出し長さとは、ラベルロールから繰り出される台紙レスラベルの長さである。繰り出し長さ設定部は、一枚分のラベル片の長さと、枚数入力受付部によって受け付けられた入力に係るラベル片の枚数とに基づき、繰り出し長さを設定する。また、繰り出しローラは、繰り出し長さに対応する長さの台紙レスラベルを連続して前記ラベルロールから繰り出させる。これにより、台紙レスラベルからラベル片を切り離す作業を手作業で行った場合でも、定額商品について効率よくラベル片を生成することができる。
【００１１】
また、制御装置は、停止指令受付部をさらに有してもよい。停止指令受付部は、繰り出しローラの駆動を停止させる停止指令を受け付ける。また、繰り出しローラは、停止指令受付部によって停止指令が受け付けられるまで、台紙レスラベルを連続してラベルロールから繰り出させる。これにより、所望する枚数のラベル片を適宜生成することができる。
【００１２】
また、制御装置は、商品選択受付部と、価格設定情報記憶部と、設定種類判別部と、をさらに有してもよい。商品選択受付部は、台紙レスラベルに印字する商品情報に係る商品の種類についての選択を受け付ける。価格設定情報記憶部は、商品の価格設定の種類に関する情報であって、定額設定と計量設定とを含む。定額設定は、商品の種類に応じて一定の価格を設定する。計量設定は、商品の重量に応じて異なる価格を設定する。設定種類判別部は、商品選択受付部によって受け付けられた商品の種類に対応する価格設定の種類を判別する。また、設定種類判別部によって判別された価格設定の種類が、定額設定である場合には、繰り出しローラは、台紙レスラベルを連続してラベルロールから繰り出させる。また、設定種類判別部によって判別された価格設定の種類が、計量設定である場合には、繰り出しローラは、一枚分のラベル片に対応する所定長さの台紙レスラベルをラベルロールから繰り出させる。これにより、定額商品および計量商品の両方に貼り付けるラベル片を効率よく発行することができる。
【００１３】
さらに、制御装置は、枚数入力受付部と、繰り出し長さ設定部とを有することが好ましい。枚数入力受付部は、ラベル片の枚数の入力を受け付ける。繰り出し長さ設定部は、繰り出し長さを設定する。繰り出し長さは、ラベルロールから繰り出される台紙レスラベルの長さである。また、設定種類判別部によって判別された価格設定の種類が定額設定である場合、繰り出し長さ設定部は、一枚分のラベル片の長さと、枚数入力受付部によって受け付けられた入力に係るラベル片の枚数とに基づき、繰り出し長さを設定する。また、設定種類判別部によって判別された価格設定の種類が計量設定である場合、繰り出し長さ設定部は、一枚分のラベル片の長さよりも大きな長さである修正長さを、繰り出し長さに設定する。繰り出しローラは、繰り出し長さに対応する長さの台紙レスラベルを連続してラベルロールから繰り出させる。これにより、カッター機構の使用ができない場合であっても、定額商品および計量商品のそれぞれに適したラベル片を発行することができる。
【発明の効果】
【００１４】
本発明に係るラベル印字装置は、カッター機構が利用できない場合にも、ラベル片を生成することを可能にする。
【図面の簡単な説明】
【００１５】
【図１】本発明の一実施形態に係るラベル発行装置を備えた包装装置の外観斜視図である。
【図２】包装装置のブロック図である。
【図３】ラベルロールが装着されたラベル発行装置の概略図である。
【図４】台紙レスラベルの裏面を示す図である。
【図５】商品情報（イメージデータ）および切断用マークを印字した台紙レスラベルの表面を示す図である。
【図６】商品マスタの例を示す図である。
【図７】フォーマット情報に記憶されている情報の例を示す図である。
【図８】初期画面の例を示す図である。
【図９】ファンクション設定画面の例を示す図である。
【図１０】確認画面の例を示す図である。
【図１１】確認画面の例を示す図である。
【図１２】商品選択画面の例を示す図である。
【図１３】警告画面の例を示す図である。
【図１４】商品呼び出し完了画面の例を示す図である。
【図１５】商品呼び出し完了画面の例を示す図である。
【図１６】設定モードを変更しなかった場合のラベル発行装置の動作フローを示す図である。
【図１７】設定モードを変更した場合のラベル発行装置の動作フローを示す図である。
【図１８】設定モードを変更した場合のラベル発行装置の動作フローを示す図である。
【図１９】変形例Ｂに係る制御装置のブロック図である。
【図２０】変形例Ｂに係る制御装置が表示する印字枚数入力画面の例を示す図である。
【図２１】変形例Ｆに係る制御装置のブロック図である。
【図２２】変形例Ｆに係る制御装置が表示する確認画面の例を示す図である。
【図２３】変形例Ｆに係る制御装置において、設定モードを変更した場合のラベル発行装置の動作フローを示す図である。
【発明を実施するための形態】
【００１６】
本発明の一実施形態に係るラベル印字装置について、図面を参照しながら説明する。なお、以下の実施形態は、本発明の技術的範囲を限定するものではない。
【００１７】
（１）全体構成
図１は、本発明に係るラベル印字装置１６０を備えた包装装置１００の外観斜視図である。図２は、包装装置１００のブロック図である。包装装置１００は、図１または図２に示すように、主として、計量搬入機構２０、包装機構３０、およびラベル発行ユニット６０を備える。また、包装装置１００は、計量搬入機構２０、包装機構３０、およびラベル発行ユニット６０を制御する制御装置８０をさらに備える。本実施形態では、包装装置１００に含まれるラベル発行ユニット６０および制御装置８０をラベル印字装置１６０として説明する。
【００１８】
計量搬入機構２０は、商品Ｐを包装装置１００の内部に搬入すると共に、商品Ｐの重量を計量する機構である。計量搬入機構２０によって計量された商品Ｐは、包装機構３０に搬送される。
【００１９】
包装機構３０は、トレーや容器に入れられた商品Ｐをフィルムで包装する機構である。包装機構３０は、図１に示すように、主として、包装材保持ユニット３１と、包装ステーション３２と、シール部３３とを含む。包装材保持ユニット３１は、フィルムロールを保持するユニットである。包装ステーション３２は、フィルムロールから繰り出されたフィルムを商品の下面側に折り込んで商品Ｐをフィルムで包装する。また、包装ステーション３２は、包装された商品Ｐをシール部３３へ送り出す。シール部３３は、商品Ｐの下面に折り込まれたフィルムに対して熱シールを施す。
【００２０】
ラベル発行ユニット６０は、包装された商品に貼り付けるためのラベル片ＬＰを発行する。以下、ラベル発行ユニット６０の構成および制御装置８０の構成について詳細に説明する。
【００２１】
（２）ラベル発行ユニットの詳細構成
ラベル発行ユニット６０は、台紙レスラベルＬＳに商品情報を印字してラベル片ＬＰを発行する。ラベル発行ユニット６０は、上述したように、制御装置８０によって制御される。台紙レスラベルＬＳとは、連続するシート状の紙部材である。台紙レスラベルＬＳは、裏面に粘着剤が付された粘着面を有する。粘着面には、台紙が付されていない。即ち、ラベルシートＬＳは、台紙レスである。
【００２２】
台紙レスラベルＬＳの裏面には、図４に示すように、アイマークＥＭが設けられている。アイマークＥＭは、台紙レスラベルＬＳとは異なる色が付された部分である。アイマークＥＭは、後述するラベル検出センサ６５によって検出される。ラベル検出センサ６５がアイマークＥＭを検出することによって、ラベルロールＬＲから繰り出された台紙レスラベルＬＳの量（長さ）が判別される。アイマークＥＭは、台紙レスラベルＬＳの長手方向に、所定の距離間隔を空けて設けられている。台紙レスラベルＬＳの表面には、商品情報が印字される。台紙レスラベルＬＳの表面は、感熱発色層と剥離層とによって形成されている。具体的に、台紙レスラベルＬＳの表面は、感熱発色層に粘着面の粘着剤が付着しないように、シリコンコーティングが施されている。
【００２３】
以下、図２および図３を参照して、ラベル発行ユニット６０の構成を詳細に説明する。ラベル発行ユニット６０は、主として、ロールホルダー６１、サーマルヘッド（印字部）６２、プラテンローラ（繰り出しローラ）６３、カッター機構６４、およびラベル検知センサ６５を備える。
【００２４】
（２−１）ロールホルダー
ロールホルダー６１は、ラベルロールＬＲを回転可能に保持する機構である。ラベルロールＬＲは、シート状の台紙レスラベルＬＳが巻き付けられたロールである。ロールホルダー６１は、ラベルロールＬＲを装着させる装着部を有する。装着部は、回転軸を有する。回転軸の回転駆動により、ラベルロールＬＲは回転し、台紙レスラベルＬＳが繰り出される。なお、回転軸の先端には、図示しないストッパーが取り付けられている。ストッパーは、装着部に装着されたラベルロールＬＲが装着部から抜けないように規制する。
【００２５】
なお、台紙レスラベルＬＳは、図３に示すように、表面を上側に向けた状態で下流に搬送される。
【００２６】
（２−２）サーマルヘッド
サーマルヘッド６２は、ラベルロールＬＲから繰り出された台紙レスラベルＬＳの表面に商品情報を印字する印字部である。台紙レスラベルＬＳに印字される商品情報には、例えば、図５に示すように、商品名、金額（および単価）、重量（正味量）、バーコード、加工日、消費期限等が含まれる。詳細には、後述する各フォーマットに関連付けられた情報ユニットの組み合わせからなる商品情報が台紙レスラベルＬＳの表面に印字される。
【００２７】
なお、本実施形態では、ラベル片ＬＰの天地方向が台紙レスラベルＬＳの長手方向に一致し、ラベル片ＬＰの下端部が上端部よりも先に排出口から排出されるように、商品情報が台紙レスラベルＬＳに印字される。言い換えると、図５に示す台紙レスラベルが下端側から排出される。
【００２８】
サーマルヘッド６２は、後述するプラテンローラ６３の上方に位置する。サーマルヘッド６２は、台紙レスラベルＬＳの表面の感熱発色層に熱を加えて発色させ、上述の商品情報を台紙レスラベルＬＳに印字する。
【００２９】
（２−３）プラテンローラ
プラテンローラ６３は、台紙レスラベルＬＳを前方へ送り出すローラである。プラテンローラ６３は、サーマルヘッド６２に対向するように、サーマルヘッド６２の下方に配置されている。プラテンローラ６３は、サーマルヘッド６２との間に台紙レスラベルＬＳを挟み込む。サーマルヘッド６２およびプラテンローラ６３の間に挟みこまれた台紙レスラベルＬＳは、プラテンローラ６３の回転駆動によって排出口に向かって送り出される。
【００３０】
（２−４）カッター機構
カッター機構６４は、連続して延びる台紙レスラベルＬＳから、商品情報を印字した部分を切り離す。言い換えると、カッター機構６４は、台紙レスラベルＬＳの所定の部位を切断し、台紙レスラベルＬＳから商品Ｐに貼り付けられるラベル片ＬＰを切り離す。
【００３１】
カッター機構６４は、台紙レスラベルＬＳの搬送経路において、排出口の手前に配置される。また、カッター機構６４は、台紙レスラベルＬＳの搬送経路において、サーマルヘッド６２およびプラテンローラ６３より下流に位置する。
【００３２】
カッター機構６４は、移動カッター６４ａと、固定カッター６４ｂと、図示しないアクチュエータとを含む。移動カッター６４ａは、台紙レスラベルＬＳの上面側に配置される。移動カッター６４ａは、アクチュエータによって上下方向に移動可能な構成を有する。すなわち、移動カッター６４ａは、台紙レスラベルＬＳに対して近接する方向および離反する方向に移動する。固定カッター６４ｂは、台紙レスラベルＬＳの下面側に配置される。移動カッター６４ａは、下方に移動したとき、固定カッター６４ｂとの間で台紙レスラベルＬＳを挟み込み、台紙レスラベルＬＳからラベル片ＬＰを切り離す。カッター機構６４によって台紙レスラベルＬＳから切り離されたラベル片ＬＰは、商品Ｐに貼り付けられる。
【００３３】
カッター機構６４は、ラベル発行ユニット６０に対して、取り外し可能に取り付けられている。言い換えると、ラベル発行ユニット６０は、カッター機構６４を取り外した場合であっても、台紙レスラベルＬＳを繰り出すことが可能である。
【００３４】
また、カッター機構６４は、カッター使用モードが設定されている場合に限り、後述する制御部８４によって駆動される。
【００３５】
（２−５）ラベル検知センサ
ラベル検知センサ６５は、光電センサである。ラベル検知センサ６５は、下流方向に搬送される台紙レスラベルＬＳに光を照射し、台紙レスラベルＬＳから反射する光を受ける。ラベル検知センサ６５は、台紙レスラベルＬＳから反射する光の量の違いにより、台紙レスラベルＬＳのアイマークＥＭを検知する。ラベル検知センサ６５によってアイマークＥＭが検知されると、後述する制御装置８０に検知信号が送られる。ラベル検知センサ６５による検知結果に基づき、台紙レスラベルＬＳの搬送量が把握される。
【００３６】
なお、台紙レスラベルＬＳの搬送経路には、ラベル検知センサ６５の他に、複数のラベル検知センサが設けられている。複数のラベル検知センサによる検知結果に基づき、台紙レスラベルＬＳの先端位置およびラベル片ＬＰの先端位置が把握される。
【００３７】
（３）制御装置の詳細構成
次に、図２を参照して、制御装置８０の構成を詳細に説明する。制御装置８０は、包装装置１００に含まれる各構成と接続され、各構成との間で信号の送受信を行う。これにより、制御装置８０は、上述したように、計量搬入機構２０、包装機構３０、およびラベル発行ユニット６０を制御する。
【００３８】
制御装置８０は、図２に示すように、主として、表示部８１と、入力部８２と、記憶部８３と、制御部８４とからなる。
【００３９】
（３−１）表示部および入力部
表示部８１は、包装装置１００を操作するための操作画面や確認画面等を表示する（図８〜図１５参照）。また、表示部８１には、包装装置１００の処理状況や、包装装置１００で包装している商品に関する情報等が示される。表示部８１は、タッチパネルディスプレイである。タッチパネルディスプレイは、表示機能の他、入力機能も有する。入力部８２は、包装装置１００による処理に必要な各種情報の入力に用いられる。入力部８２は、機械キーを含む。包装装置１００は、タッチパネル８１および機械キー８２によって入力された内容に基づき動作する。
【００４０】
表示部８１には、初期画面（図８参照）、ファンクション設定画面（図９参照）、確認画面（図１０および図１１参照）、商品選択画面（図１２参照）、警告画面（図１３参照）、および商品呼び出し完了画面（図１４および図１５参照）等の各種画面が表示される。
【００４１】
初期画面は、包装装置１００を立ち上げた際に表示部８１に表示される画面である。図８に示すように、初期画面では、操作方法に関する通知が表示されている。また、初期画面の左下の領域Ｒ８１には、現在設定されているカッター機構６４の設定モードが表示されている。カッター機構６４の設定モードとは、カッター機構６４の使用／不使用に関するモードである。デフォルトでは、カッター使用モードが設定されている。
【００４２】
ファンクション設定画面は、初期画面に含まれるファンクション設定キーｋ８を選択することにより表示される画面である。ファンクション設定画面は、ラベル印字装置１６０に備えられた複数の機能についての設定を行うための画面である。ファンクション設定画面には、複数のファンクションキーが設けられている。複数のファンクションキーのうち、カッター設定モード切替キーｋ９が選択されることにより、カッター機構６４の設定モードが変更される。
【００４３】
確認画面は、ファンクション設定画面に含まれるカッター設定モード切替キーｋ９を選択することにより、表示される画面である。確認画面で実行キーが選択されると、図１４および図１５に示すように、初期画面の左下の領域Ｒ１４１，Ｒ１５１に、変更後の設定モードが表示される。
【００４４】
商品選択画面は、台紙レスラベルＬＳに印字する対象となる商品情報を選択するための画面である。すなわち、商品選択画面は、商品を選択するための画面である。商品選択画面は、初期画面の所定の箇所を選択することにより表示される。ここで、所定の箇所とは、例えば、呼出番号の領域Ｒ８２である（図８参照）。
【００４５】
警告画面は、カッター不使用モード設定時に計量商品を呼び出そうとした際に表示される画面である。
【００４６】
商品呼び出し完了画面は、計量商品が呼び出された画面である。商品呼び出し完了画面には、図１４および図１５に示すように、初期画面に現れていなかった商品に関する情報（商品名、重量、値段等）が表示される。なお、カッター機構６４の設定モードとしてカッター不使用モードが設定されている場合、図１４に示すように、商品呼び出し完了画面には、印字停止キーｋ１４ｂが表示される。
【００４７】
上述した各種画面を介して選択された情報あるいは入力された情報は、後述する入力受付部８４ａによって受け付けられる。
【００４８】
（３−２）記憶部
記憶部８３は、ＲＯＭ，ＲＡＭ，ハードディスク等から構成されている。記憶部８３は、包装装置１００の制御に必要な各種プログラムおよび各種情報を記憶する。また、記憶部８３は、ラベル片ＬＰに商品情報を印字する際に必要な情報を記憶する。
【００４９】
具体的に、記憶部８３には、主として、商品マスタ記憶領域（価格設定情報記憶部）８３ａと、フォーマット情報記憶領域８３ｂと、設定モード記憶領域（設定モード記憶部）８３ｃと、入力情報記憶領域８３ｄとが確保されている。
【００５０】
（３−２−１）商品マスタ記憶領域
商品マスタ記憶領域８３ａには、商品に関する基本情報が記憶されている。商品に関する基本情報には、例えば、図６に示すように、呼出番号、商品名、商品コード、価格、重量、単価、価格種別、原材料等が含まれる。
【００５１】
ここで、価格種別とは、価格設定の種別を意味する。具体的に、価格設定の種別には、定額設定と計量設定とが含まれる。定額設定の商品とは、商品の種類に応じて一定の価格が設定される商品である。具体的に、定額設定の商品とは、予め所定重量に計量された商品に対して所定の価格が設定される商品である。すなわち、定額設定の商品は、同じ種類の商品については、一定の価格が設定される。一方、計量設定の商品とは、商品の単価が設定されており、商品の重量に応じて価格が設定される商品である。すなわち、計量設定の商品とは、計量重量に応じた価格が設定される商品を意味する。したがって、計量設定の商品は、同一種類の商品であっても、商品の重量に応じて異なる価格が設定される。
【００５２】
また、基本情報には、商品に関するバーコード、加工日、および消費期限などが関連付けて記憶されている。
【００５３】
（３−２−２）フォーマット情報記憶領域
フォーマット情報記憶領域８３ｂには、台紙レスラベルＬＳに商品情報を印字する際に参照するフォーマットに関する情報（フォーマット情報）が記憶されている。フォーマット情報記憶領域８３ｂには、商品の種類に応じた複数種類のフォーマットに関する情報が記憶されている（図７参照）。具体的には、図７に示すように、フォーマット情報として、ラベル片ＬＰに印字する商品情報の種類（複数の商品情報のうち印字項目とする情報の種類）、印字項目を印字するために必要となるラベル片のサイズ、および印字項目のレイアウト情報等を定義するものである。レイアウト情報には、例えば、各印字項目の配置（座標）、文字方向、およびフォント・フォントサイズ等が含まれる。座標フォーマット情報は、商品マスタ記憶領域８３ａに記憶されている各商品の商品番号に関連付けて記憶されている。
【００５４】
（３−２−３）設定モード記憶領域
設定モード記憶領域８３ｃは、カッター機構６４の使用に関するモード（設定モード）が記憶されている。具体的に、設定モードには、カッター機構６４の使用が可能であるカッター使用モードと、カッター機構６４の使用が不可能であるカッター不使用モードとが含まれる。より具体的に、カッター使用モードは、ラベルロールＬＲから繰り出された台紙レスラベルＬＳをカッター機構６４によって切断するモードである。言い換えると、カッター使用モードでは、カッター機構６４を用いて、台紙レスラベルＬＳからラベル片ＬＰが切り離される。一方、カッター不使用モードは、ラベルロールＬＲから繰り出された台紙レスラベルＬＳをオペレータが手動で切断するモードである。言い換えると、カッター不使用モードでは、カッター機構６４を用いずに、台紙レスラベルＬＳからラベル片ＬＰが切り離される。
【００５５】
設定モード記憶領域８３ｃには、デフォルトとして、カッター使用モードが記憶されている。設定モード記憶領域８３ｃには、現在設定されているモードが記憶されている。設定モード記憶領域８３ｃに記憶されている情報は、後述する入力受付部８４ａによって受け付けられた設定モード（入力設定モード）によって上書きされる。
【００５６】
なお、カッター不使用モードは、主として、カッター機構６４がラベル発行ユニット６０から取り外された場合に用いられるモードである。
【００５７】
（３−２−４）入力情報記憶領域
入力情報記憶領域８３ｄには、入力部８２を介して入力され、後述する入力受付部８４ａによって受け付けられた各種情報が記憶される。ここで、入力情報記憶領域８３ｄに記憶される各種情報には、商品の選択に関する情報およびラベル片ＬＰの枚数に関する情報等が含まれる。
【００５８】
（３−３）制御部
制御部８４は、主として、ＣＰＵから構成されている。制御部８４は、記憶部８３に記憶されている各種プログラムを読み出して実行する。また、制御部８４は、図２に示すように、主として、入力受付部（商品選択受付部、設定モード受付部、停止指令受付部）８４ａ、設定モード判定部（設定可否判定部）８４ｂ、確認画面生成部８４ｃ、呼び出し部８４ｄ、およびイメージデータ生成部８４ｅとして機能する。
【００５９】
（３−３−１）入力受付部
入力受付部８４ａは、入力部８２を介して入力された各種情報を受け付ける。言い換えると、入力受付部８４ａは、表示部８１に表示された各種画面を用いて入力された各種情報を受け付ける。ここで、入力受付部８４ａによって受け付けられる各種情報には、商品の選択に関する情報、カッター機構６４の設定モードに関する情報、印字指令、および印字停止指令が含まれる。
【００６０】
具体的に、商品の選択に関する情報とは、台紙レスラベルＬＳに印字する商品情報に係る商品の種類である。より具体的に、商品の選択に関する情報として、入力受付部８４ａは、商品に対応する商品番号の入力を受け付ける。詳細に、入力受付部８４ａは、上述した商品選択画面（図１２参照）で選択された（入力された）商品番号を受け付ける。
【００６１】
また、カッター機構６４の設定モードに関する情報とは、上述したように、カッター機構６４を用いずに台紙レスラベルＬＳへの印字処理を行うか、カッター機構６４を用いて台紙レスラベルＬＳへの印字処理を行うか、についての設定モードの選択に関する情報である。具体的には、入力受付部８４ａは、設定モードに関する情報として、カッター使用モードおよびカッター不使用モードのいずれかを受け付ける。詳細に、入力受付部８４ａは、上述したファンクション設定画面（図９参照）のカッター設定モード切替キーｋ９を用いて入力された情報を受け付ける。
【００６２】
また、印字指令とは、台紙レスラベルＬＳへの印字処理を実行させるための指令である。詳細に、入力受付部８４ａは、商品呼び出し完了画面（図１４および図１５参照）の印字キーｋ１４ａ，ｋ１５ａを用いて入力された情報を受け付ける。
【００６３】
また、印字停止指令とは、カッター不使用モードが選択されている場合に、台紙レスラベルＬＳへの印字処理を停止させるための指令である。詳細に、入力受付部８４ａは、商品呼び出し完了画面（図１４参照）の印字停止キーｋ１４ｂを用いて入力された情報を受け付ける。
【００６４】
入力受付部８４ａによって受け付けられた情報は、入力情報記憶領域８３ｄに記憶される。また、入力受付部８４ａによって受け付けられた情報に基づき、制御部８４は、包装装置１００を構成する各部に制御指令を送信する。
【００６５】
（３−３−２）設定モード判定部
設定モード判定部８４ｂは、入力受付部８４ａによって受け付けられた設定モードの選択が、設定モード記憶領域８３ｃに記憶された設定モードと異なる設定モードを設定するものか否かを判定する。言い換えると、設定モード判定部８４ｂは、入力受付部８４ａによって受け付けられた設定モード（入力設定モード）が、先に設定されている設定モード（現在の設定モード）を変更しようとするものなのか否かを判定する。入力設定モードが現在の設定モードと異なるものである場合には、入力設定モードを設定モード記憶領域８３ｃに記憶する。すなわち、設定モード記憶領域８３ｃでは、入力設定モードによって現在の設定モードが上書きされる。
【００６６】
さらに、設定モード判定部８４ｂは、現在の設定モードがカッター不使用モードである場合に、入力受付部８４ａによって受け付けられる選択に係る商品に対するカッター不使用モードの設定可否を判定する。具体的に、設定モード判定部８４ｂは、まず、入力受付部８４ａによって受け付けられた商品に対応する価格設定が、定額設定および計量設定のいずれであるかを判定する。さらに、設定モード判定部８４ｂは、商品に対応する価格設定が定額設定である場合に、カッター不使用モードの設定が可能であると判定する。一方、設定モード判定部８４ｂは、商品に対応する価格設定が計量設定である場合には、カッター不使用モードの設定が不可能であると判定する。
【００６７】
より具体的に、設定モード判定部８４ｂは、商品マスタ記憶領域８３ａに記憶されている価格種別を参照し、商品に設定されている価格種別を判定する。設定モード判定部８４ｂは、商品に設定されている価格種別が定額設定の場合には、カッター不使用モードの設定が可能であると判定する。一方、設定モード判定部８４ｂは、商品に設定されている価格種別が計量設定の場合には、カッター不使用モードの設定が不可能であると判定する。
【００６８】
ここで、カッター不使用モードの設定が可能であると判定した場合には、設定モード判定部８４ｂは、商品の呼び出しが不可能であると判定する。すなわち、設定モード判定部８４ｂは、選択に係る商品に対してカッター不使用モードの設定が可能であると判定した場合に、後述する呼び出し部８４ｄによる商品情報の呼び出しを可能にする。一方、設定モード判定部８４ｂは、選択に係る商品に対してカッター不使用モードの設定が不可能であると判定した場合には、呼び出し部８４ｄによる商品情報の呼び出しを制限する。すなわち、設定モード判定部８４ｂは、カッター不使用モードの設定が不可能であると判定した場合には、呼び出し部８４ｄによる情報の呼び出しを不能にする。
【００６９】
（３−３−３）確認画面生成部
確認画面生成部８４ｃは、上述の設定モード判定部８４ｂによって設定モードの変更が判定された場合に、種々の確認画面を生成する。ここで、確認画面には、設定変更の確認を行うための画面と、設定変更が不可能である旨の警告を促す画面とが含まれる（図１０、図１１、および図１３参照）。
【００７０】
具体的に、設定変更の確認を行うための画面は、入力設定モードが現在の設定モードとは異なるものと設定モード判定部８４ｂによって判定された場合に生成される画面である（図１０および図１１参照）。具体的に、図１０は、カッター使用モードが設定されている状態で、入力受付部８４ａによって、カッター不使用モードの選択が受け付けられた場合に、確認画面生成部８４ｃによって生成される画面の例を示す。また、図１１は、カッター不使用モードが設定されている状態で、入力受付部８４ａによって、カッター使用モードの選択が受け付けられた場合に、確認画面生成部８４ｃによって生成される画面の例を示す。
【００７１】
また、警告を促す画面は、選択された商品に対してカッター不使用モードの設定が不可能であると設定モード判定部８４ｂによって判定された場合に生成される画面である（図１３参照）。具体的に、図１３は、カッター不使用モードが設定されている状態で、入力受付部８４ａによって受け付けられた選択に係る商品が計量商品であった場合に、確認画面生成部８４ｃによって生成される画面の例を示す。
【００７２】
（３−３−４）呼び出し部
呼び出し部８４ｄは、入力受付部８４ａによって受け付けた商品番号に基づき、商品番号に対応する商品情報を呼び出す。さらに、呼び出し部８４ｄは、呼び出した商品情報に対応するフォーマット情報を呼び出す。具体的に、呼び出し部８４ｄは、商品マスタ記憶領域８３ａおよびフォーマット情報記憶領域８３ｂに記憶されている情報に基づき、商品情報と、商品情報に対応するフォーマット情報とを呼び出す。
【００７３】
（３−３−５）イメージデータ生成部
イメージデータ生成部８４ｅは、呼び出し部８４ｄによって呼び出された商品情報およびフォーマット情報に基づいてイメージデータを生成する。イメージデータとは、フォーマット情報に基づいて商品情報を表示させたデータであって、台紙レスラベルに印字される印字データである。
【００７４】
また、イメージデータ生成部８４ｅは、カッター不使用モードが設定されている場合に、生成したイメージデータに切断用マークＣＬを付加する（図５参照）。切断用マークＣＬとは、オペレータが台紙レスラベルＬＳからラベル片ＬＰを切り離す際に目印にするための直線のイメージである。具体的に、切断用マークＣＬは、台紙レスラベルＬＳの長手方向に連続して印字される複数のイメージデータ（イメージ）の境界を示すために設けられる。言い換えると、切断用マークＣＬは、台紙レスラベルＬＳを幅方向に延びる直線のイメージであって、台紙レスラベルＬＳの切断部位を示す。
【００７５】
切断用マークＣＬは、実線、破線、および鎖線のいずれかのイメージである。本実施形態において、イメージデータ生成部８４ｅは、切断用マークとしての破線イメージを商品情報のイメージデータに追加する。直線イメージは、台紙レスラベルＬＳの長手方向を天地方向とするイメージの上端に設けられる。上述したように、本実施形態では、ラベル片ＬＰの天地方向が台紙レスラベルＬＳの長手方向に一致し、ラベル片ＬＰの下端部が上端部よりも先に排出口から排出されるように、商品情報が台紙レスラベルＬＳに印字される。したがって、切断用マークＣＬは、ラベル片ＬＰの上端部に相当する部分に、ラベル片ＬＰの幅方向に延びて形成される。すなわち、イメージデータ生成部８４ｅは、イメージデータのうち、一のラベル片ＬＰの高さ方向上部に対応する箇所に切断用マークＣＬを付加する。
【００７６】
（４）ラベル印字装置による処理の流れ
以下、主として、図１６および図１７を用いて、カッター機構６４の設定モードに応じたラベル印字装置１６０による処理の流れを説明する。図１６は、カッター使用モード設定時のラベル印字装置１６０の動作を示すフローであり、図１７は、カッター不使用モード設定時のラベル印字装置１６０の動作を示すフローである。
【００７７】
（４−１）設定モードを変更しなかった場合のラベル印字装置の処理の流れ
まず、図１６を用いて、設定モードを変更しなかった場合のラベル印字装置１６０の処理の流れを説明する。すなわち、図１６は、カッター使用モード設定時のラベル印字装置１６０の処理の流れを示す。なお、このときラベル印字装置１６０の表示部８１に表示される画面の例が、図８、図１２、および図１５である。
【００７８】
まず、ステップＳ１１において、入力受付部８４ａが商品の選択を受け付けたかどうかが判定される。すなわち、図１２に示す画面において、呼出番号が選択されたか否かが判定される。ステップＳ１１では、商品の選択が受け付けられるまで待機し、商品の選択を受け付けた場合に、ステップＳ１２に進む。
【００７９】
ステップＳ１２では、ステップＳ１１で受け付けられた選択に係る商品についての商品情報が呼び出される（図１５参照）。このとき、カッター機構６４の設定モードは変更されていないため、図１５の領域Ｒ１５１には、設定モードのデフォルト（カッター使用モード）を示す文字「カッター（使用）」が表示されている。さらに、ステップＳ１２では、選択に係る商品情報に関連付けられたフォーマット情報が呼び出される。その後、ステップＳ１３に進む。
【００８０】
ステップＳ１３では、ステップＳ１２で呼び出された商品情報とフォーマット情報とに基づいて、イメージデータ生成部８４ｅがイメージデータを生成する。その後、ステップＳ１４に進む。
【００８１】
ステップＳ１４では、印字キーの入力があったか否かが判定される。具体的に、制御部８４は、操作画面上の印字キー（図１５の符号ｋ１５ａ参照）の入力が入力受付部８４ａによって受け付けたかどうかが判定される。ステップＳ１４では、印字キーｋ１５ａの入力があるまで待機し、印字キーｋ１５ａの入力が受け付けられたと判断された場合には、ステップＳ１５に進む。
【００８２】
ステップＳ１５では、一枚分のラベル片ＬＰについての印字処理を開始する。具体的に、ラベルロールＬＲから、一枚分のラベル片ＬＰを生成するために必要な台紙レスラベルＬＳが繰り出され、台紙レスラベルＬＳにイメージデータが印字される。具体的には、制御部８４が、装着部の回転軸を回転させるとともに、プラテンローラ６３を回転させ、サーマルヘッド６２によって、台紙レスラベルＬＳの表面にイメージデータを印字させる。すなわち、台紙レスラベルＬＳに商品情報が印字される。その後、ステップＳ１６に進む。
【００８３】
ステップＳ１６では、カッター機構６４を駆動させて、台紙レスラベルＬＳからラベル片ＬＰを切り離す。具体的に、カッター機構６４は、所定数（一枚分のラベル片ＬＰの長さに対応する量）のアイマークＥＭがラベル検知センサ６５によって検知されるまで待機する。その後、ラベル検知センサ６５によって所定数のアイマークＥＭが検知されると、移動カッター６４ａを固定カッター６４ｂ側へ移動させて、連続する台紙レスラベルＬＳを、長手方向に直交する方向に切断する。これにより、台紙レスラベルＬＳから一のラベル片ＬＰが切り離される。
【００８４】
（４−２）設定モードを変更した場合のラベル印字装置の処理の流れ
次に、図１７を用いて、設定モードを変更した場合のラベル印字装置１６０の処理の流れについて説明する。なお、このときラベル印字装置１６０に表示される画面の例が、図８〜図１５である。
【００８５】
先ず、ステップＳ２１において、現在の設定モードを変更させるような入力設定モードの入力を受け付けたか否かが判定される。具体的に、設定モード判定部８４ｂが、入力受付部８４ａによって受け付けられた設定モード（入力設定モード）が、先に設定されている設定モード（現在の設定モード）を変更しようとするものなのか否かを判定する。ステップＳ２１では、現在の設定モードを変更させるような入力設定モードを受け付けるまで待機し、現在の設定モードを変更させるような入力設定モードを受け付けると、ステップＳ２２に進む。
【００８６】
ステップＳ２２では、入力設定モードがカッター不使用モードであるか否かが判定される。具体的には、入力受付部８４ａによって受け付けられた設定モード（入力設定モード）が、カッター不使用モードであるか否かが設定モード判定部８４ｂによって判定される。ステップＳ２２において、入力設定モードがカッター不使用モードではないと判定されると、ステップＳ２３に進む。言い換えると、入力設定モードがカッター使用モードである場合には、ステップＳ２３に進む。
【００８７】
ステップＳ２３では、確認画面生成部８４ｃによって確認画面が生成され、さらに、表示部８１に表示される（図１１参照）。図１１に示すように、この場合、確認画面には、カッター使用モードに変更しようとしている旨の通知と、カッター使用モードへの変更を実行させる実行キーと、カッター使用モードへの変更を中止させる中止キーとが表示される。その後、ステップＳ２４に進む。
【００８８】
ステップＳ２４では、実行が入力されたか否かが判定される。具体的に、制御部８４は、図１１に示す確認画面の実行キーの選択が、入力受付部８４ａによって受け付けられたか否かを判定する。ステップＳ２４において、実行キーの選択が受け付けられなかった場合、すなわち、中止キーの選択が受け付けられたと判定した場合には、ステップＳ２１に戻る。一方、ステップＳ２４において、実行キーの選択が受け付けられたと判定した場合には、ステップＳ２５に進む。
【００８９】
ステップＳ２５では、入力受付部８４ａが商品の選択を受け付けたかどうかが判定される。すなわち、図１２に示す画面において、呼出番号が選択されたか否かが判定される。ステップＳ２５では、商品の選択が受け付けられるまで待機し、商品の選択を受け付けた場合に、ステップＳ２６に進む。
【００９０】
ステップＳ２６では、ステップＳ２５で受け付けられた選択に係る商品についての商品情報が呼び出される（図１５参照）。さらに、選択に係る商品情報に関連付けられたフォーマット情報が呼び出される。その後、ステップＳ２７に進む。
【００９１】
ステップＳ２７では、ステップＳ２６で呼び出された商品情報とフォーマット情報とに基づいて、イメージデータ生成部８４ｅがイメージデータを生成する。その後、ステップＳ２８に進む。
【００９２】
ステップＳ２８では、印字キーｋ１５ａの入力があったか否かが判定される。上述したように、具体的に、制御部８４は、操作画面上の印字キーｋ１５ａの入力が入力受付部８４ａによって受け付けられたかどうかが判定される（図１５参照）。ステップＳ２８では、印字キーｋ１５ａの入力があるまで待機し、印字キーｋ１５ａの入力が受け付けられたと判断された場合には、ステップＳ２９に進む。
【００９３】
ステップＳ２９では、一枚分のラベル片ＬＰについての印字処理を開始する。具体的に、ラベルロールＬＲから、一枚分のラベル片ＬＰを生成するために必要な台紙レスラベルＬＳが繰り出され、台紙レスラベルＬＳにイメージデータが印字される。具体的には、制御部８４が、装着部の回転軸を回転させるとともに、プラテンローラ６３を回転させ、サーマルヘッド６２によって、台紙レスラベルＬＳの表面にイメージデータを印字させる。すなわち、台紙レスラベルＬＳに商品情報が印字される。その後、ステップＳ３０に進む。
【００９４】
ステップＳ３０では、カッター機構６４を駆動させて、台紙レスラベルＬＳからラベル片ＬＰを切り離す。具体的に、カッター機構６４は、所定数（一枚分のラベル片ＬＰの長さに対応する量）のアイマークＥＭがラベル検知センサ６５によって検知されるまで待機する。その後、ラベル検知センサ６５によって所定数のアイマークＥＭが検知されると、移動カッター６４ａを固定カッター６４ｂ側へ移動させて、連続する台紙レスラベルＬＳを、長手方向に直交する方向に切断する。これにより、台紙レスラベルＬＳから一のラベル片ＬＰが切り離される。
【００９５】
一方、ステップＳ２２において、入力設定モードがカッター不使用モードであると判定されると、ステップＳ４０に進む。ステップＳ４０では、確認画面生成部８４ｃによって確認画面が生成され、さらに、表示部８１に表示される（図１０参照）。図１０に示すように、この場合、確認画面には、カッター不使用モードに変更すると計量商品を呼び出すことができない旨の通知と、カッター不使用モードへの変更を実行させる実行キーと、カッター使用モードへの変更を中止させる中止キーとが表示される。その後、ステップＳ４１に進む。
【００９６】
ステップＳ４１では、実行が入力されたか否かが判定される。具体的に、制御部８４は、図１０に示す確認画面の実行キーの選択が、入力受付部８４ａによって受け付けられたか否かを判定する。ステップＳ２４において、実行キーの選択が受け付けられなかった場合、すなわち、中止キーの選択が受け付けられたと判定した場合には、ステップＳ２１に戻る。一方、ステップＳ４１において、実行キーの選択が受け付けられたと判定した場合には、ステップＳ４２に進む。
【００９７】
ステップＳ４２では、制御部８４が、入力受付部８４ａによって商品の選択が受け付けられたかどうかが判定される。すなわち、図１２に示す画面において、呼出番号が選択されたか否かが判定される。ステップＳ４２では、商品の選択が受け付けられるまで待機し、商品の選択を受け付けた場合に、ステップＳ４３に進む。
【００９８】
ステップＳ４３では、入力受付部８４ａによって受け付けられた選択に係る商品が定額商品か否かが、設定モード判定部８４ｂによって判定される。言い換えると、設定モード判定部８４ｂは、選択された商品に対応する価格設定が、定額設定であるか否かを判定する。ステップＳ４３において、選択された商品の価格設定が、計量設定であると判定された場合には、ステップＳ４４に進む。
【００９９】
ステップＳ４４では、設定モード判定部８４ｂが、商品情報の呼び出しを制限する。その後、ステップＳ４５に進む。
【０１００】
ステップＳ４５では、確認画面生成部８４ｃによって、警告を促す画面（警告画面）が生成され、警告画面が表示部８１に表示される（図１３参照）。具体的に、図１３に示すように、選択した商品が計量商品であるため、カッター不使用モードを設定することができない旨の通知を行う。その後、ステップＳ２１に戻る。
【０１０１】
一方、ステップＳ４３において、選択された商品の価格設定が、計量設定であると判定された場合には、ステップＳ４６に進む。
【０１０２】
ステップＳ４６では、ステップＳ４２で受け付けられた選択に係る商品についての商品情報が呼び出される（図１４参照）。このとき、カッター機構６４の設定モードが変更されているため、図１４の領域Ｒ１４１には、現在の設定モードを示す文字「カッター（不使用）」が表示されている。さらに、選択に係る商品情報に関連付けられたフォーマット情報が呼び出される。その後、ステップＳ４７に進む。
【０１０３】
ステップＳ４７では、ステップＳ４２で呼び出された商品情報とフォーマット情報とに基づいて、イメージデータ生成部８４ｅがイメージデータを生成する。このとき、イメージデータ生成部８４ｅは、イメージデータに切断用マークＣＬを付加する。具体的に、切断用マークＣＬは、一のイメージデータの高さ方向上部において、台紙レスラベルＬＳの幅方向に伸びる直線（図５では破線）である。その後、ステップＳ４８に進む。
【０１０４】
ステップＳ４８では、印字キーの入力があったか否かが判定される。上述したように、具体的に、制御部８４は、操作画面上の印字キーｋ１４ａの入力が入力受付部８４ａによって受け付けられたかどうかが判定される（図１４参照）。ステップＳ４８では、印字キーｋ１４ａの入力があるまで待機し、印字キーｋ１４ａの入力が受け付けられたと判断された場合には、ステップＳ４９に進む。
【０１０５】
ステップＳ４９では、印字処理を開始する。具体的には、ラベルロールＬＲから台紙レスラベルＬＳが繰り出され、台紙レスラベルＬＳにイメージデータおよび切断用マークＣＬが印字される。より具体的には、制御部８４が、装着部の回転軸を回転させるとともに、プラテンローラ６３を回転させ、サーマルヘッド６２によって、台紙レスラベルＬＳの表面にイメージデータおよび切断用マークＣＬを印字させる。すなわち、台紙レスラベルＬＳに商品情報と切断用マークＣＬとが印字される。その後、ステップＳ５０に進む。
【０１０６】
ステップＳ５０では、停止指令が受け付けられたか否かが判定される。具体的に、制御部８４は、操作画面に含まれる印字停止キーｋ１４ｂの入力が入力受付部８４ａによって受け付けられたかどうかが判定される（図１４参照）。ステップＳ５０では、印字停止キーｋ１４ｂの入力があるまで待機する。すなわち、入力受付部８４ａによって停止指令が受け付けられるまで、台紙レスラベルＬＳはラベルロールＬＲから連続して繰り出される。一方、ステップＳ５０において、印字停止キーｋ１４ｂの入力が受け付けられたと判断された場合には、ステップＳ５１に進む。
【０１０７】
ステップＳ５１では、印字処理を停止する。具体的に、制御部８４が、装着部の回転軸の回転を停止させるとともに、プラテンローラ６３の回転を停止させる。
【０１０８】
（５）特徴
（５−１）
上記実施形態に係るラベル印字装置１６０は、カッター機構６４の使用に関する設定モードの入力を受け付ける。カッター使用モードとは、カッター機構６４の使用が可能なモードである。カッター不使用モードとは、カッター機構６４の使用が不可能なモードである。プラテンローラ６３は、入力受付部８４ａによってカッター不使用モードの入力が受け付けられた場合、言い換えると、カッター不使用モードが設定された場合に、台紙レスラベルＬＳの所定の部位に切断用マークＣＬを印字する。
【０１０９】
上記実施形態で説明したように、台紙レスラベルからラベル片を自動で切り離すカッター機構は、主として、固定カッター、移動カッター、および移動カッターを駆動させるアクチュエータを備える。カッター機構の不具合には、カッターの切れの悪化や、カッター機構が動作しない等、様々な理由がある。ここで、カッター機構の不具合が、カッターの切れの悪化であって、その原因が刃に付着した糊であれば、オペレータによって簡単に対処することができる。しかし、アクチュエータの不具合のように、オペレータが簡単に対処することができない不具合の場合、一般的に、外部の保守会社に修理を委託することになる。ここで、カッター機構が修理されている間、ラベル印字装置が使用できないこととなると、商品に貼り付けるためのラベル片が発行できず非常に不便である。
【０１１０】
そこで、上記実施形態に係るラベル印字装置１６０では、カッター機構６４を使用せずに印字処理を実行するカッター不使用モードが設定可能になっている。ここで、カッター不使用モードが設定されている場合には、台紙レスラベルＬＳの所定の部位に切断用マークＣＬが印字される。オペレータは、他の器具（例えば、はさみおよびカッター等）を用いて、台紙レスラベルＬＳを切断用マークＣＬに沿って切断することにより、台紙レスラベルＬＳからラベル片を生成することができる。すなわち、上記実施形態に係るラベル印字装置１６０により、カッター機構６４が使用できない場合であっても、好適にラベル片ＬＰを生成することができる。
【０１１１】
（５−２）
また、上記実施形態に係るラベル印字装置１６０は、切断用マークＣＬとして、直線イメージを形成する。具体的に、切断用マークＣＬは、実線、破線、および鎖線のいずれかである。これにより、ラベル印字装置１６０のオペレータは、台紙レスラベルＬＳの切断箇所を容易に特定することができる。
【０１１２】
（５−３）
さらに、上記実施形態に係るラベル印字装置１６０は、入力受付部８４ａによって新たに受け付けられた新たな設定モード（入力設定モード）が、設定モード記憶領域８３ｃに記憶された設定モード（現在の設定モード）と異なる場合に、確認画面生成部８４ｃによって設定モードの変更に関する確認画面が生成される（図１０および図１１参照）。これにより、ラベル印字装置１６０のオペレータに対して、設定モードが変更される旨の注意喚起を行うことができる。
【０１１３】
（５−４）
さらに、上記実施形態に係るラベル印字装置１６０では、設定モード判定部８４ｂが、選択された商品に対応する価格設定の種類に基づき、カッター不使用モードの設定可否を判定する。
【０１１４】
ここで、商品に対応する価格設定が定額設定である場合には、設定モード判定部８４ｂによって、カッター不使用モードの設定が可能であると判定され、カッター不使用モードで印字処理が行われる。すなわち、台紙レスラベルＬＳは、台紙レスラベルＬＳの所定の部位に切断用マークＣＬが印字されて排出される。
【０１１５】
一方、商品に対応する価格設定が計量設定である場合には、設定モード判定部８４ｂによって、カッター不使用モードの設定が不可能であると判定され、表示部８１に警告画面（図１３参照）が表示される。これにより、計量値に応じて価格が変動する商品（計量商品）に対するカッター不使用モードの設定を制限すると共に、定額商品に貼り付けるラベル片を効率よく発行することができる。
【０１１６】
（５−５）
また、上記実施形態に係るラベル印字装置１６０は、入力受付部８４ａによって印字処理に関する停止指令が受け付けられるように構成されている。具体的には、図１４に示すように、操作画面に印字停止キーｋ１４ｂが設けられており、印字停止キーｋ１４ｂによって停止指令が入力されるまで、台紙レスラベルＬＳは、連続してラベルロールＬＲから繰り出される。これにより、所望する枚数のラベル片を適宜生成することができる。
【０１１７】
（６）変形例
（６−１）変形例Ａ
上記実施形態では、ステップＳ４３において、選択された商品が定額商品か否かが判定された（図１８参照）。ステップＳ４３において、選択された商品が定額商品でないと判断された場合には、ステップＳ４４に進み、商品情報の呼び出しを制限すると共に、警告画面（図１３参照）を表示させた。
【０１１８】
ここで、カッター不使用モードが選択された場合には、商品選択画面（図１２参照）において、定額商品のみが表示されるように設計されてもよい。すなわち、制御部８４は、設定モード記憶領域８３ｃに記憶されている設定モードに基づき、商品選択画面に表示させる商品の種類を変更させてもよい。これにより、定額商品のみが商品選択画面に表示されるため、ステップＳ４４およびステップＳ４５を省略することができる。
【０１１９】
（６−２）変形例Ｂ
上記実施形態に係るラベル印字装置１６０は、制御装置８０を備えた。ここで、ラベル印字装置１６０は、制御装置８０が有する構成に加え、繰り出し長さ設定部８４ｆをさらに有する制御装置１８０を備えてもよい（図１９参照）。
【０１２０】
このとき、表示部８１は、図２０に示すような、ラベル（ラベル片）ＬＰの印字枚数を入力可能な画面（印字枚数入力画面）を表示する。入力受付部８４ａは、印字枚数入力画面で入力された印字枚数をさらに受け付ける。繰り出し長さ設定部８４ｆは、入力受付部８４ａによって受け付けられた印字枚数に基づいて、ラベルロールＬＲから繰り出される台紙レスラベルＬＳの長さを設定する。
【０１２１】
具体的に、繰り出し長さ設定部８４ｆは、一枚分のラベル片ＬＰの長さと、入力受付部８４ａによって受け付けられた入力に係るラベル片の枚数とに基づき、繰り出し長さを設定する。イメージデータ生成部８４ｅは、印字枚数に応じて、台紙レスラベルＬＳに印字させるイメージデータおよび切断用マークＣＬを生成する。プラテンローラ６３は、繰り出し長さに対応する長さの台紙レスラベルＬＳを連続してラベルロールＬＲから繰り出させる。
【０１２２】
これにより、定額商品について、台紙レスラベルＬＳからラベル片ＬＰを切り離す作業を手作業で行った場合でも、効率よく所定枚数のラベル片を生成することができる。
【０１２３】
（６−３）変形例Ｃ
上記実施形態で用いた台紙レスラベルＬＳは、裏面に粘着面を有すると共に、アイマークＥＭを有した。ここで、台紙レスラベルＬＳの裏面は、粘着部および非粘着部が台紙レスラベルＬＳの幅方向を横切るように交互に並ぶ面を有していてもよい。これにより、アイマークＥＭの代わり粘着部の位置を認識することにより、台紙レスラベルＬＳの繰り出し量を判定することができる。
【０１２４】
（６−４）変形例Ｄ
上記実施形態に係る包装装置１００は、他の装置と接続されていてもよい。また、制御装置８０に記憶される情報が、当該他の装置から送られた情報であってもよい。
【０１２５】
（６−５）変形例Ｅ
上記実施形態では、ラベル印字装置１６０として、包装装置１００に組み込まれた態様を例に挙げて説明したが、ラベル印字装置１６０が単独で機能する構成であってもよい。
【０１２６】
（６−６）変形例Ｆ
上記実施形態に係るラベル印字装置１６０では、カッター不使用モードが、定額商品に対してのみ設定可能であった。ここで、カッター不使用モードが定額商品および計量商品の両方に設定可能に構成されていてもよい。
【０１２７】
具体的には、ラベル印字装置１６０が、制御装置８０に代えて、制御装置２８０を備える（図２１参照）。制御装置２８０では、カッター不使用モードの選択を受けた後、商品の価格種別に応じて、台紙レスラベルＬＳの繰り出し方を変化させる。
【０１２８】
具体的に、制御装置２８０は、繰り出し長さ設定部１８４ｆを有する。制御装置２８０に含まれるその他の構成は、制御装置８０と同様である。
【０１２９】
繰り出し長さ設定部１８４ｆは、カッター不使用モード設定時において計量商品が呼び出された場合に、ラベルロールＬＲから繰り出される台紙レスラベルＬＳの長さを決定する。具体的に、繰り出し長さ設定部１８４ｆは、ラベル片ＬＰ一枚分のイメージを台紙レスラベルＬＳに印字させる際に、ラベルロールＬＲから繰り出す台紙レスラベルＬＳの長さ（繰り出し長さ）を設定する。より具体的に、繰り出し長さ設定部１８４ｆは、一枚分のラベル片ＬＰの長さ（高さ寸法）と、入力受付部８４ａによって受け付けられた入力に係るラベル片ＬＰの枚数とに基づき、繰り出し長さを設定する。
【０１３０】
詳細には、繰り出し長さ設定部１８４ｆは、カッター使用モード設定時のラベル片ＬＰ一枚分の繰り出し量に、所定長さαを加えた寸法（修正長さ）を、ラベル片ＬＰ一枚分の印字処理においてラベルロールＬＲから繰り出される台紙レスラベルＬＳの長さであると設定する。したがって、所定長さαは、カッター使用モード設定時にラベル片ＬＰ一枚を生成する際、台紙レスラベルＬＳをの繰り出し量よりも多くの量が繰り出されるように値が設定される。また、所定長さαは、オペレータにより台紙レスラベルＬＰが切断し易いような長さであるものとする。
【０１３１】
また、制御装置２８０では、図１０に示す確認画面に代えて、図２２に示す確認画面が生成されるものとする。
【０１３２】
（６−６−１）処理の流れ
変形例Ｆに係る制御装置２８０の処理の流れを、図２３を用いて説明する。なお、ステップＳ７０より前の処理は、上記実施形態と同じである（図１７参照）。したがって、ステップＳ７０より前の処理については説明を省略する。
【０１３３】
ステップＳ７０では、確認画面生成部８４ｃによって確認画面が生成され、さらに、確認画面が表示部８１に表示される（図２２参照）。図２２に示すように、確認画面には、カッター不使用モードに変更しようとしている旨の通知と、カッター不使用モードへの変更を実行させる実行キーと、カッター不使用モードへの変更を中止させる中止キーとが表示される。その後、ステップＳ７１に進む。
【０１３４】
ステップＳ７１では、実行が入力されたか否かが判定される。具体的に、制御部８４は、図２１に示す確認画面の実行キーの選択が、入力受付部８４ａによって受け付けられたか否かを判定する。ステップＳ７１において、実行キーの選択が受け付けられなかった場合、すなわち、中止キーの選択が受け付けられたと判定した場合には、ステップＳ２１に戻る。一方、ステップＳ７１において、実行キーの選択が受け付けられたと判定した場合には、ステップＳ７２に進む。
【０１３５】
ステップＳ７２では、入力受付部８４ａが商品の選択を受け付けたかどうかが判定される。すなわち、図１２に示す画面において、呼出番号が選択されたか否かが判定される。ステップＳ７２では、商品の選択が受け付けられるまで待機し、商品の選択を受け付けた場合に、ステップＳ７３に進む。
【０１３６】
ステップＳ７３では、入力受付部８４ａによって受け付けられた選択に係る商品が定額商品か否かが、設定モード判定部８４ｂによって判定される。言い換えると、設定モード判定部８４ｂは、選択された商品に対応する価格設定が、定額設定であるか否かを判定する。ステップＳ７３において、選択された商品の価格設定が、定額設定であると判定された場合には、ステップＳ７４に進む。ステップＳ７４〜ステップＳ７９は、上記実施形態に係るステップＳ４６〜ステップＳ５１に対応するため説明は省略する。一方、ステップＳ７３において、選択された商品の価格設定が、計量設定であると判定された場合には、ステップＳ８０に進む。
【０１３７】
ステップＳ８０では、ステップＳ７２で受け付けられた選択に係る商品についての商品情報が呼び出される。さらに、選択に係る商品情報に関連付けられたフォーマット情報が呼び出される。その後、ステップＳ８１に進む。
【０１３８】
ステップＳ８１では、ステップＳ７２で呼び出された商品情報とフォーマット情報とに基づいて、イメージデータ生成部８４ｅがイメージデータを生成する。このとき、イメージデータ生成部８４ｅは、イメージデータに切断用マークＣＬを付加する。上述したように、切断用マークＣＬは、一のイメージデータの高さ方向上部において、台紙レスラベルＬＳの幅方向に伸びる直線（図５では破線）である。その後、ステップＳ８２に進む。
【０１３９】
ステップＳ８２では、印字キーの入力があったか否かが判定される。上述したように、具体的に、制御部８４は、操作画面上の印字キーの入力が入力受付部８４ａによって受け付けられたかどうかが判定される。ステップＳ８２では、印字キーの入力があるまで待機し、印字キーの入力が受け付けられたと判断された場合には、ステップＳ８３に進む。
【０１４０】
ステップＳ８３では、繰り出し長さ設定部１８４ｆによって、修正長さが設定される。具体的に、ラベル片ＬＰ一枚分のイメージを台紙レスラベルに印字する際に、ラベルロールＬＲから繰り出される台紙レスラベルＬＳの長さが、繰り出し長さ設定部１８４ｆによって設定される。より具体的に、繰り出し長さ設定部１８４ｆは、ラベル片ＬＰ一枚分の長さ（ラベル片ＬＰの高さ方向の寸法）Ｌに、所定長さαを加えて修正長さｌ（ｌ＝Ｌ＋α）を設定する。その後、ステップＳ８４に進む。
【０１４１】
ステップＳ８４では、印字処理を開始する。具体的には、ラベルロールＬＲから修正長さｌに基づいて台紙レスラベルＬＳが繰り出され、ラベル片ＬＰ一枚分のイメージが台紙レスラベルＬＳに印字される。その後、ステップＳ８５に進む。
【０１４２】
ステップＳ８５では、図示しないセンサによって入力される信号に基づき、台紙レスラベルからラベル片ＬＰが切り離されたかどうかが判定される。すなわち、ステップＳ８５では、ラベル片ＬＰが切断されたか否かが判定される。ステップＳ８５では、ラベル片ＬＰが切断されるまで待機し、ラベル片ＬＰが切断されると、ステップＳ８６に進む。
【０１４３】
ステップＳ８６では、プラテンローラ６３を逆回転させ、通常の搬送方向とは反対の方向へ、台紙レスラベルＬＳを送る。この時、台紙レスラベルＬＳは、修正長さとして繰り出し長さから修正した分（所定長さα）を考慮して戻される。その後、終了する。
【０１４４】
（６−６−２）特徴
変形例Ｆに係る制御装置２８０は、カッター機構６４が使用できない場合に、定額商品のみならず、計量商品に対してもラベル片ＬＰの生成を可能にする。
【０１４５】
計量商品は、商品の重量によって価格が異なる。したがって、台紙レスラベルＬＳに対して複数商品に対応するイメージを印字すると、一の商品に対して異なる商品の情報を印字したラベル片ＬＰを貼り付けてしまう可能性が生じる。すなわち、計量商品についてのラベル片ＬＰを生成する場合には、ラベル片ＬＰが一枚ずつ生成される構成にすることが好ましい。
【０１４６】
変形例Ｆに係る制御装置２８０は、呼び出された商品の種類に応じて、台紙レスラベルＬＳの繰り出し方を変化させている。具体的に、計量商品に対して張り付けられるラベル片ＬＰを生成する場合には、ラベル片ＬＰ一枚分に対応するイメージデータを印字した台紙レスラベルＬＳが排出される。すなわち、ラベル片ＬＰ一枚分の長さに対応する台紙レスラベルＬＳが繰り出される。また、定額商品に対して張り付けられるラベル片ＬＰを生成する場合には、複数のラベル片ＬＰに対応するイメージデータを印字した台紙レスラベルＬＳが連続して排出される。すなわち、停止指令が受け付けられるまで、連続して台紙レスラベルＬＳがラベルロールＬＲから繰り出される。
【０１４７】
これにより、計量商品に対してラベル片ＬＰの貼付け作業を確実に行うことができる。また、定額商品および計量商品の両方に対して、カッター機構６４を用いずにラベル片ＬＰを生成することができるため、カッター機構６４の不具合によって業務に与える影響を最小限に抑えることが可能になる。
【０１４８】
（６−７）変形例Ｇ
上記変形例Ｆに係る制御装置２８０は、変形例Ｂに係る制御装置１８０と同様に、表示部８１が、図２０に示すような、ラベル（ラベル片）ＬＰの印字枚数を入力可能な画面（印字枚数入力画面）を表示するように設計してもよい。入力受付部８４ａもまた、印字枚数入力画面で入力された印字枚数をさらに受け付ける。
【０１４９】
繰り出し長さ設定部１８４ｆは、修正長さの設定の他、カッター不使用モード設定時において定額商品が呼び出された場合に、入力受付部８４ａによって受け付けられた印字枚数に基づいて、ラベルロールＬＲから繰り出される台紙レスラベルＬＳの長さを設定する。
【０１５０】
具体的に、繰り出し長さ設定部１８４ｆは、定額商品が呼び出された場合には、一枚分のラベル片ＬＰの長さと、入力受付部８４ａによって受け付けられた入力に係るラベル片の枚数とに基づき、繰り出し長さを設定する。イメージデータ生成部８４ｅは、印字枚数に応じて、台紙レスラベルＬＳに印字させるイメージデータおよび切断用マークＣＬを生成する。プラテンローラ６３は、繰り出し長さに対応する長さの台紙レスラベルＬＳを連続してラベルロールＬＲから繰り出させる。
【０１５１】
これにより、定額商品については、所定枚数のラベル片ＬＰを連続して生成することができる。また、計量商品については、ラベル片ＬＰを一枚ずつ生成することができる。
【０１５２】
（６−８）変形例Ｈ
上記実施形態に係るラベル印字装置１６０は、切断用マークＣＬとして、直線イメージが形成された。ここで、直線イメージの代わりに、切断用マークＣＬとして、イメージデータを取り囲むような枠のイメージが形成されてもよい。これによっても、オペレータは、複数のイメージが印字された台紙レスラベルＬＳにおける切断部位を容易に特定することができる。
【符号の説明】
【０１５３】
２０        計量搬入機構
３０        包装機構
６０        ラベル発行ユニット
６１        ロールホルダー
６２        サーマルヘッド（印字部）
６３        プラテンローラ（繰り出しローラ）
６４        カッター機構
６５        ラベル検知センサ
８０，１８０，２８０  制御装置
８１        表示部
８２        入力部
８３        記憶部
８３ａ      商品マスタ記憶領域（価格設定情報記憶部）
８３ｂ      フォーマット情報記憶領域
８３ｃ      設定モード記憶領域
８３ｄ      入力情報記憶領域
８４        制御部
８４ａ      入力受付部（設定モード受付部、商品選択受付部、枚数入力受付部、停止指令受付部）
８４ｂ      設定モード判定部（設定可否判定部、設定種類判別部）
８４ｃ      確認画面生成部
８４ｄ      呼び出し部
８４ｅ      イメージデータ生成部
８４ｆ，１８４ｆ    繰り出し長さ設定部
１００      包装装置
１６０      ラベル印字装置
ＬＲ        ラベルロール
ＬＳ        台紙レスラベル
ＬＰ        ラベル片
【先行技術文献】
【特許文献】
【０１５４】
【特許文献１】特願２００２−２８３６３３号公報
【図１】
2014046951.tif 000003
【図２】
2014046951.tif 000004
【図３】
2014046951.tif 000005
【図４】
2014046951.tif 000006
【図５】
2014046951.tif 000007
【図６】
2014046951.tif 000008
【図７】
2014046951.tif 000009
【図８】
2014046951.tif 000010
【図９】
2014046951.tif 000011
【図１０】
2014046951.tif 000012
【図１１】
2014046951.tif 000013
【図１２】
2014046951.tif 000014
【図１３】
2014046951.tif 000015
【図１４】
2014046951.tif 000016
【図１５】
2014046951.tif 000017
【図１６】
2014046951.tif 000018
【図１７】
2014046951.tif 000019
【図１８】
2014046951.tif 000020
【図１９】
2014046951.tif 000021
【図２０】
2014046951.tif 000022
【図２１】
2014046951.tif 000023
【図２２】
2014046951.tif 000024
【図２３】
2014046951.tif 000025